(57)【要約】【課題】例えば、ヒートポンプ式空気調和機に適用される室外機であって、筐体やファンにおいて実際に氷結させたくない部分を十分に加熱可能な室外機を提供する。【解決手段】室外機１は、圧縮機１２、ファン７及び熱交換器１０を収容する筐体２を備えたヒートポンプ式空気調和機の室外機であって、筐体２及びファン７の少なくとも一部には、導電性塗料２３が塗布されると共に、電極２６が配置されている。外気温度を検知する外気温度検知部１８と、電極２６に流れる電流を制御する制御部８とを備え、制御部８は、外気温度検知部１８により検知された外気温度が第１外気温度判定用温度Ｔａ以下である場合に、電極２６に電流を流し、外気温度検知部１８により検知された外気温度が第１外気温度判定用温度Ｔａより高い第２外気温度判定用温度Ｔｂ以上となった場合に、電極２６に電流を流すことを停止する。【選択図】図２
2010032206.tif 000002
【特許請求の範囲】
【請求項１】
圧縮機、ファン及び熱交換器を収容する筐体を備えたヒートポンプ式空気調和機の室外機において、前記筐体及び前記ファンの少なくとも一部には、導電性塗料が塗布されると共に、電極が配置されていることを特徴とする室外機。
【請求項２】
圧縮機、ファン、熱交換器及び仕切り板を収容する筐体を備えたヒートポンプ式空気調和機の室外機において、前記筐体、前記ファン及び前記仕切り板の少なくとも一部には、導電性塗料が塗布されると共に、電極が配置されていることを特徴とする室外機。
【請求項３】
前記導電性塗料及び前記電極は、絶縁塗料で形成された絶縁層により挟まれていることを特徴とする請求項１または２に記載の室外機。
【請求項４】
外気温度を検知する外気温度検知部と、
前記電極に流れる電流を制御する制御部とを備え、
前記制御部は、
前記外気温度検知部により検知された外気温度が第１外気温度判定用温度以下である場合に、前記電極に電流を流すことを開始し、
前記外気温度検知部により検知された外気温度が前記第１外気温度判定用温度より高い第２外気温度判定用温度以上となった場合に、前記電極に電流を流すことを停止することを特徴とする請求項１〜３のいずれか１項に記載の室外機。
【請求項５】
前記圧縮機の温度を検知する圧縮機温度検知部と、
前記電極に流れる電流を制御する制御部とを備え、
前記制御部は、
前記圧縮機温度検知部により検知された温度が第１圧縮機温度判定用温度以下である場合に、前記電極に電流を流すことを開始し、
前記圧縮機温度検知部により検知された温度が前記第１圧縮機温度判定用温度より高い第２圧縮機温度判定用温度以上となった場合に、前記電極に電流を流すことを停止することを特徴とする請求項１〜４のいずれか１項に記載の室外機。
【請求項６】
前記筐体には、導電性塗料が塗布されると共に電極が配置されており、
前記筐体の温度を検知する筐体温度検知部と、
前記電極に流れる電流を制御する制御部とを備え、
前記制御部は、
前記筐体温度検知部により検知された温度が第１筐体温度判定用温度以下である場合に、前記電極に電流を流すことを開始し、
前記筐体温度検知部により検知された温度が前記第１筐体温度判定用温度より高い第２筐体温度判定用温度以上となった場合に、前記電極に電流を流すことを停止することを特徴とする請求項１〜５のいずれか１項に記載の室外機。
【請求項７】
前記筐体には、導電性塗料が塗布されると共に電極が配置されており、
外気温度を検知する外気温度検知部と、
前記筐体の温度を検知する筐体温度検知部と、
前記圧縮機の温度を検知する圧縮機温度検知部と、
前記電極に流れる電流を制御する制御部とを備え、
前記制御部は、
前記外気温度検知部により検知された外気温度が第１外気温度判定用温度以下である場合、前記筐体温度検知部により検知された温度が第１筐体温度判定用温度以下である場合、または、前記圧縮機温度検知部により検知された温度が第１圧縮機温度判定用温度以下である場合に、前記電極に電流を流すことを開始することを特徴とする請求項１〜３のいずれか１項に記載の室外機。
【請求項８】
前記制御部は、
前記外気温度検知部により検知された外気温度が前記第１外気温度判定用温度より高い第２外気温度判定用温度以上となった場合、且つ、前記筐体温度検知部により検知された温度が前記第１筐体温度判定用温度より高い第２筐体温度判定用温度以上となった場合、且つ、前記圧縮機温度検知部により検知された温度が前記第１圧縮機温度判定用温度より高い第２圧縮機温度判定用温度以上となった場合に、前記電極に電流を流すことを停止することを特徴とする請求項７に記載の室外機。
【請求項９】
前記筐体には、導電性塗料が塗布されると共に電極が配置されており、
外気温度を検知する外気温度検知部と、
前記筐体の温度を検知する筐体温度検知部と、
前記圧縮機の温度を検知する圧縮機温度検知部と、
前記電極に流れる電流を制御する制御部とを備え、
前記制御部は、
前記外気温度検知部により検知された外気温度が第１外気温度判定用温度以下であると共に、
前記筐体温度検知部により検知された温度が第１筐体温度判定用温度以下である場合、または、前記圧縮機温度検知部により検知された温度が第１圧縮機温度判定用温度以下である場合に、前記電極に電流を流すことを開始することを特徴とする請求項１〜３のいずれか１項に記載の室外機。
【請求項１０】
前記制御部は、
前記外気温度検知部により検知された外気温度が前記第１外気温度判定用温度より高い第２外気温度判定用温度以上となった場合、
または、
前記外気温度検知部により検知された外気温度が前記第２外気温度判定用温度未満の場合、且つ、前記筐体温度検知部により検知された温度が前記第１筐体温度判定用温度より高い第２筐体温度判定用温度以上である場合、且つ、前記圧縮機温度検知部により検知された温度が前記第１圧縮機温度判定用温度より高い第２圧縮機温度判定用温度以上である場合に、前記電極に電流を流すことを停止することを特徴とする請求項９に記載の室外機。
【発明の詳細な説明】
【技術分野】
【０００１】
本発明は、例えば、ヒートポンプ式空気調和機に適用される室外機に関する。
【背景技術】
【０００２】
従来の室外機は、天板、側板及びドレンパンなどの外郭で覆われた筐体の内部に、屋外の空気と冷媒との間で熱を交換する空気熱交換器や、空気熱交換器に冷媒を送出する圧縮機を有している。このような室外機では、室外温度や天候などの条件によって、上述した外郭に霜が付着し、付着した霜が氷結する場合がある。
【０００３】
そこで、このような問題を解決する技術として、筐体に付着した霜を加熱により除去する除霜ヒータを別途設けた室外機が開示されている（特許文献１参照）。
【先行技術文献】
【特許文献】
【０００４】
【特許文献１】特開２００４−２５７６１８号公報
【発明の概要】
【発明が解決しようとする課題】
【０００５】
しかしながら、特許文献１に記載の室外機の除霜ヒータでは、筐体内部における設置場所の制約によって、筐体において実際に氷結させたくない部分を十分に加熱できないという問題があった。
【０００６】
本発明の目的は、例えば、ヒートポンプ式空気調和機に適用される室外機であって、筐体やファンにおいて実際に氷結させたくない部分を十分に加熱可能な室外機を提供することである。
【課題を解決するための手段】
【０００７】
第１の発明に係る室外機は、圧縮機、ファン及び熱交換器を収容する筐体を備えたヒートポンプ式空気調和機の室外機において、筐体及びファンの少なくとも一部には、導電性塗料が塗布されると共に、電極が配置されている。
【０００８】
この室外機では、筐体及びファンの少なくとも一部に導電性塗料を塗布できるため、筐体やファンにおいて実際に氷結させたくない部分に導電性塗料を塗布可能である。よって、電極を介して導電性塗料に通電し、導電性塗料を発熱させることで、筐体やファンにおいて実際に氷結させたくない部分の表面を面状に広く加熱することができる。したがって、筐体やファンにおいて実際に氷結させたくない部分の表面を全面にわたって加熱できるので、当該部分の氷結を効率的に防止できる。
【０００９】
第２の発明に係る室外機は、圧縮機、ファン、熱交換器及び仕切り板を収容する筐体を備えたヒートポンプ式空気調和機の室外機において、筐体、ファン及び仕切り板の少なくとも一部には、導電性塗料が塗布されると共に、電極が配置されている。
【００１０】
この室外機では、筐体、ファン及び仕切り板の少なくとも一部に導電性塗料を塗布できるため、筐体、ファン及び仕切り板において実際に氷結させたくない部分に導電性塗料を塗布可能である。よって、電極を介して導電性塗料に通電し、導電性塗料を発熱させることで、筐体、ファン及び仕切り板において実際に氷結させたくない部分の表面を面状に広く加熱することができる。したがって、筐体、ファン及び仕切り板において実際に氷結させたくない部分の表面を全面にわたって加熱できるので、当該部分の氷結を効率的に防止できる。
【００１１】
第３の発明に係る室外機は、第１または第２の発明に係る室外機において、導電性塗料及び電極は、絶縁塗料で形成された絶縁層により挟まれている。
【００１２】
この室外機では、絶縁層で導電性塗料及び電極を保護できるため、導電性塗料や電極の絶縁性を確保できると共に、導電性塗料や電極を断熱可能である。
【００１３】
第４の発明に係る室外機は、第１〜第３の発明のいずれかに係る室外機において、外気温度を検知する外気温度検知部と、電極に流れる電流を制御する制御部とを備え、制御部は、外気温度検知部により検知された外気温度が第１外気温度判定用温度以下である場合に、電極に電流を流し、外気温度検知部により検知された外気温度が第１外気温度判定用温度より高い第２外気温度判定用温度以上となった場合に、電極に電流を流すことを停止する。
【００１４】
この室外機では、外気温度検知部が設けられているため、制御部は外気温度に応じて、筐体、ファンや仕切り板を発熱させることができる。このため、筐体、ファン及び仕切り板の氷結を確実に防止できる。また、外気温度が第１外気温度判定用温度よりも高い第２外気温度判定用温度以上になり、筐体、ファン及び仕切り板が氷結する可能性がなくなった後も継続して制御部が電極に電流を流すことを防止できるので、室外機で消費される電力を削減できる。
【００１５】
第５の発明に係る室外機は、圧縮機の温度を検知する圧縮機温度検知部と、電極に流れる電流を制御する制御部とを備え、制御部は、圧縮機温度検知部により検知された温度が第１圧縮機温度判定用温度以下である場合に、電極に電流を流すことを開始し、圧縮機温度検知部により検知された温度が第１圧縮機温度判定用温度より高い第２圧縮機温度判定用温度以上となった場合に、電極に電流を流すことを停止する。
【００１６】
この室外機では、圧縮機温度検知部が設けられているため、制御部は圧縮機の温度に応じて、筐体、ファンや仕切り板を発熱させることができる。このため、筐体、ファン及び仕切り板の氷結を確実に防止できる。また、圧縮機の温度が第１圧縮機温度判定用温度よりも高い第２圧縮機温度判定用温度以上になり、筐体、ファン及び仕切り板が氷結する可能性がなくなった後も継続して制御部が電極に電流を流すことを防止できるので、室外機で消費される電力を削減できる。
【００１７】
なお、本発明において、「圧縮機の温度」とは、「圧縮機本体の温度」であってもよく、「圧縮機本体に接続されたアキュムレータの温度」であってもよい。
【００１８】
第６の発明に係る室外機は、第１〜第５の発明のいずれかに係る室外機において、筐体には、導電性塗料が塗布されると共に電極が配置されており、筐体の温度を検知する筐体温度検知部と、電極に流れる電流を制御する制御部とを備え、制御部は、筐体温度検知部により検知された温度が第１筐体温度判定用温度以下である場合に、電極に電流を流し、筐体温度検知部により検知された温度が第１筐体温度判定用温度より高い第２筐体温度判定用温度以上となった場合に、電極に電流を流すことを停止する。
【００１９】
この室外機では、筐体温度検知部が設けられているため、制御部は筐体の下端部近傍の温度に応じて、筐体の底部を発熱させることができる。このため、特に、ドレンの滴下によって、ドレン水が溜まり易い部分である筐体底部の氷結を確実に防止できる。また、筐体温度検知部により検知された温度が第１筐体温度判定用温度より高い第２筐体温度判定用温度以上になり、筐体、ファン及び仕切り板が氷結する可能性がなくなった後も継続して制御部が電極に電流を流すことを防止できるので、室外機で消費される電力を削減できる。
【００２０】
第７の発明に係る室外機は、第１〜第３の発明のいずれかに係る室外機において、筐体には、筐体には、導電性塗料が塗布されると共に電極が配置されており、外気温度を検知する外気温度検知部と、筐体の温度を検知する筐体温度検知部と、圧縮機の温度を検知する圧縮機温度検知部と、電極に流れる電流を制御する制御部とを備え、制御部は、外気温度検知部により検知された外気温度が第１外気温度判定用温度以下である場合、筐体温度検知部により検知された温度が第１筐体温度判定用温度以下である場合、または、圧縮機温度検知部により検知された温度が第１圧縮機温度判定用温度以下である場合に、電極に電流を流すことを開始する。
【００２１】
この室外機では、制御部は、外気温度や、筐体の温度や、圧縮機の温度に応じて、筐体、ファンや仕切り板を発熱させることができるので、筐体、ファン及び仕切り板の氷結を精度良く防止できる。
【００２２】
なお、本発明において、「圧縮機の温度」とは、「圧縮機本体の温度」であってもよく、「圧縮機本体に接続されたアキュムレータの温度」であってもよい。
【００２３】
第８の発明に係る室外機は、第７の発明に係る室外機において、制御部は、外気温度検知部により検知された外気温度が第１外気温度判定用温度より高い第２外気温度判定用温度以上となった場合、且つ、筐体温度検知部により検知された温度が第１筐体温度判定用温度より高い第２筐体温度判定用温度以上となった場合、且つ、圧縮機温度検知部により検知された温度が第１圧縮機温度判定用温度より高い第２圧縮機温度判定用温度以上となった場合に、電極に電流を流すことを停止する。
【００２４】
この室外機では、筐体、ファン及び仕切り板が氷結する可能性がなくなった後も継続して制御部が電極に電流を流すことを防止できるので、室外機で消費される電力を削減できる。
【００２５】
第９の発明に係る室外機は、第１〜第３の発明のいずれかに係る室外機において、筐体には、導電性塗料が塗布されると共に電極が配置されており、外気温度を検知する外気温度検知部と、筐体の温度を検知する筐体温度検知部と、圧縮機の温度を検知する圧縮機温度検知部と、電極に流れる電流を制御する制御部とを備え、制御部は、外気温度検知部により検知された外気温度が第１外気温度判定用温度以下であると共に、筐体温度検知部により検知された温度が第１筐体温度判定用温度以下である場合、または、圧縮機温度検知部により検知された温度が第１圧縮機温度判定用温度以下である場合に、電極に電流を流すことを開始する。
【００２６】
この室外機では、制御部は、外気温度と第１外気温度判定用温度との比較に基づく温度判定を優先的に行った後で、筐体の温度や圧縮機の温度に応じて、筐体、ファンや仕切り板を発熱させることができるので、筐体、ファン及び仕切り板の氷結をより精度良く防止できる。
【００２７】
なお、本発明において、「圧縮機の温度」とは、「圧縮機本体の温度」であってもよく、「圧縮機本体に接続されたアキュムレータの温度」であってもよい。
【００２８】
第１０の発明に係る室外機は、第９の発明に係る室外機において、制御部は、外気温度検知部により検知された外気温度が第１外気温度判定用温度より高い第２外気温度判定用温度以上となった場合、または、外気温度検知部により検知された外気温度が第２外気温度判定用温度未満の場合、且つ、筐体温度検知部により検知された温度が第１筐体温度判定用温度より高い第２筐体温度判定用温度以上である場合、且つ、圧縮機温度検知部により検知された温度が第１圧縮機温度判定用温度より高い第２圧縮機温度判定用温度以上である場合に、前記電極に電流を流すことを停止する。
【００２９】
この室外機では、筐体、ファン及び仕切り板が氷結する可能性がなくなった後も継続して制御部が電極に電流を流すことを防止できるので、室外機で消費される電力を削減できる。
【発明の効果】
【００３０】
以上の説明に述べたように、本発明によれば、以下の効果が得られる。
【００３１】
第１の発明では、筐体及びファンの少なくとも一部に導電性塗料を塗布できるため、筐体やファンにおいて実際に氷結させたくない部分に導電性塗料を塗布可能である。よって、電極を介して導電性塗料に通電し、導電性塗料を発熱させることで、筐体やファンにおいて実際に氷結させたくない部分の表面を面状に広く加熱することができる。したがって、筐体やファンにおいて実際に氷結させたくない部分の表面を全面にわたって加熱できるので、当該部分の氷結を効率的に防止できる。
【００３２】
また、第２の発明では、筐体、ファン及び仕切り板の少なくとも一部に導電性塗料を塗布できるため、筐体、ファン及び仕切り板において実際に氷結させたくない部分に導電性塗料を塗布可能である。よって、電極を介して導電性塗料に通電し、導電性塗料を発熱させることで、筐体、ファン及び仕切り板において実際に氷結させたくない部分の表面を面状に広く加熱することができる。したがって、筐体、ファン及び仕切り板において実際に氷結させたくない部分の表面を全面にわたって加熱できるので、当該部分の氷結を効率的に防止できる。
【００３３】
また、第３の発明では、絶縁層で導電性塗料及び電極を保護できるため、導電性塗料や電極の絶縁性を確保できると共に、導電性塗料や電極を断熱可能である。
【００３４】
また、第４の発明では、外気温度検知部が設けられているため、制御部は外気温度に応じて、筐体、ファンや仕切り板を発熱させることができる。このため、筐体、ファン及び仕切り板の氷結を確実に防止できる。また、外気温度が第１外気温度判定用温度よりも高い第２外気温度判定用温度以上になり、筐体、ファン及び仕切り板が氷結する可能性がなくなった後も継続して制御部が電極に電流を流すことを防止できるので、室外機で消費される電力を削減できる。
【００３５】
また、第５の発明では、圧縮機温度検知部が設けられているため、制御部は圧縮機の温度に応じて、筐体、ファンや仕切り板を発熱させることができる。このため、筐体、ファン及び仕切り板の氷結を確実に防止できる。また、圧縮機の温度が第１圧縮機温度判定用温度よりも高い第２圧縮機温度判定用温度以上になり、筐体、ファン及び仕切り板が氷結する可能性がなくなった後も継続して制御部が電極に電流を流すことを防止できるので、室外機で消費される電力を削減できる。
【００３６】
また、第６の発明では、筐体温度検知部が設けられているため、制御部は筐体の下端部近傍の温度に応じて、筐体の底部を発熱させることができる。このため、特に、ドレンの滴下によって、ドレン水が溜まり易い部分である筐体底部の氷結を確実に防止できる。また、筐体温度検知部により検知された温度が第１筐体温度判定用温度より高い第２筐体温度判定用温度以上になり、筐体、ファン及び仕切り板が氷結する可能性がなくなった後も継続して制御部が電極に電流を流すことを防止できるので、室外機で消費される電力を削減できる。
【００３７】
また、第７の発明では、制御部は、外気温度や、筐体の温度や、圧縮機の温度に応じて、筐体、ファンや仕切り板を発熱させることができるので、筐体、ファン及び仕切り板の氷結を精度良く防止できる。
【００３８】
また、第８の発明では、筐体、ファン及び仕切り板が氷結する可能性がなくなった後も継続して制御部が電極に電流を流すことを防止できるので、室外機で消費される電力を削減できる。
【００３９】
また、第９の発明では、制御部は、外気温度と第１外気温度判定用温度との比較に基づく温度判定を優先的に行った後で、筐体の温度や圧縮機の温度に応じて、筐体、ファンや仕切り板を発熱させることができるので、筐体、ファン及び仕切り板の氷結をより精度良く防止できる。
【００４０】
また、第１０の発明では、筐体、ファン及び仕切り板が氷結する可能性がなくなった後も継続して制御部が電極に電流を流すことを防止できるので、室外機で消費される電力を削減できる。
【図面の簡単な説明】
【００４１】
【図１】本発明の室外機の斜視図を示している。
【図２】図１に示した室外機から天板、右側板、前板及び左側板を取り外すと共に、筐体の内部から送風ファン、電装品及び冷媒系統を取り外した状態を示している。
【図３】図２に示したＡ−Ａ線の断面を示している。
【図４】導電性塗料層の発熱特性を示す実験データである。
【図５】本発明の室外機の第１実施形態における導電性塗料層への通電動作のフローチャートを示している。
【図６】本発明の第２実施形態の室外機から天板、右側板、前板及び左側板を取り外すと共に、筐体の内部から送風ファン、電装品及び冷媒系統を取り外した状態を示している。
【図７】ドレンパンの上面を示している。
【図８】図７に示したＢ−Ｂ線の断面を示している。
【図９】本発明の室外機の第２実施形態における導電性塗料層への通電動作のフローチャートを示している。
【図１０】本発明の第３実施形態の室外機から天板、右側板、前板及び左側板を取り外すと共に、筐体の内部から送風ファン、電装品及び冷媒系統を取り外した状態を示している。
【図１１】図１０に示したＣ−Ｃ線の断面を示している。
【図１２】本発明の室外機の第３実施形態における導電性塗料層に対する通電動作のフローチャートを示している。
【図１３】本発明の室外機の第４実施形態における導電性塗料層に対する通電動作のフローチャートを示している。
【発明を実施するための最良の形態】
【００４２】
（第１実施形態）
以下、図面に基づいて、本発明の室外機の第１実施形態について説明する。
【００４３】
図１は、本発明の室外機１の斜視図を示している。略直方体状に形成された室外機１の筐体２の内部は、天板３、右側板４、前板５及び左側板６（図２）によって着脱可能に覆われている。右側板４には、閉鎖弁カバー４ａが着脱可能に取り付けられている。前板５には、前面グリル５ａが着脱可能に取り付けられている。
【００４４】
図２は、図１に示した室外機１から天板３、右側板４、前板５及び左側板６を取り外すと共に、筐体２の内部から送風ファン７（ファン）、電装品８（制御部）及び冷媒系統９を取り外した状態を示している。
【００４５】
図２に示すように、筐体２の内部は、略Ｌ字状に折り曲げて形成され且つ冷媒が循環する空気熱交換器１０（熱交換器）や、冷媒を圧縮するための圧縮機本体１２ａと、この圧縮機本体１２ａに継手管（図示せず）を介して接続されたアキュムレータ１２ｂとを有する圧縮機１２等が設置されたドレンパン１３で覆われている。なお、天板３、右側板４、前板５、左側板６及びドレンパン１３は、筐体２の構成要素中に含まれている。本発明において、「筐体」は、「ドレンパン」を含んでおり、「筐体」に含まれる複数の部材のうち、圧縮機が設置される部材が「ドレンパン」に対応する。また、筐体２の内部は、仕切り板１４によって、電装品８、冷媒系統９及び圧縮機１２が収納される圧縮機室１５と、送風ファン７や、この送風ファン７を駆動するためのファンモータ１６が収納される熱交換器室１７とに区画されている。
【００４６】
電装品８の側端部８ａに設けられた各端子は、電装ケーブル２０、２１、２２を介して、天板３の両端に形成された帯状金属箔等の電極２６や、外気温度を検知する外気サーミスタ１８（外気温度検知部）や、電装品８の本体に電源を供給する一次側電源１９にそれぞれ接続されている。
【００４７】
図３は、図２に示したＡ−Ａ線の断面を示している。天板３の表面には、特定のラジカル重合性樹脂、導電材及び重合開始剤を含んだ導電性塗料層２３（導電性塗料）が形成されている。この導電性塗料層２３は、絶縁塗料層２４、２５（絶縁層）によって挟まれると共に、導電性塗料層２３の内部には、電極２６が形成されている。
【００４８】
絶縁塗料層２４、２５は、導電性塗料層２３の絶縁性を確保するために形成されると共に、導電性塗料層２３の保護層及び断熱層として機能する。絶縁塗料層２４、２５の形成に用いる塗料としては、エポキシアクレリート樹脂、不飽和ポリエステル樹脂、エポキシ樹脂等が例示される。
【００４９】
電装品８は、内蔵された制御スイッチ（トライアック）のオン／オフにより、電装ケーブル２０を介して電極２６に加える印加電圧を制御して、導電性塗料層２３に流れる電流及び電圧を制御することで、導電性塗料層２３を所望温度で発熱させる。
【００５０】
図４は、導電性塗料層２３の発熱特性を示す実験データである。この実験データは、通風によりマイナス１０℃の空気が対流する恒温槽内で電極２６に通電し、天板３の表面温度の変化を計測した場合を示している。図の横軸は、電極２６への通電時間（秒）を、図の縦軸は、天板３の表面温度（℃）を示している。
【００５１】
図の表面温度０℃は、天板３が氷結する氷結温度を示し、図の曲線Ｃ１、Ｃ２、Ｃ３は、天板３表面に付着した氷の融解に要する融氷電力Ｐｍ（Ｗ／ｍ２）が８００（Ｗ／ｍ２）、５００（Ｗ／ｍ２）、３００（Ｗ／ｍ２）の場合を示す曲線をそれぞれ示している。
【００５２】
この融氷電力Ｐｍは、以下の演算式（１）で算出可能である。ここで、式中のＱｍは、融氷熱量（ｋｃａｌ／ｍ２・ｈ）を示している。
Ｐｍ＝Ｑｍ／０．８６・・・・（１）
【００５３】
図５は、本発明の室外機の第１実施形態における導電性塗料層２３への通電動作のフローチャートを示している。図に示す動作は、電装品８（制御部）が、内蔵ＲＯＭに格納されたプログラムを実行することによって実現され、天板３が氷結する寸前の温度帯（１℃〜２℃）において導電性塗料層２３への通電が行われるとともに、この通電による発熱量は、制御スイッチのオン／オフ制御や、発熱量の制御が故障しても、人体に影響がない温度までしか発熱しない発熱量に設定されている。
【００５４】
まず、ステップＳ１００において、電装品８は、外気サーミスタ１８の出力に基づいて外気温度を検知する。そして、処理はステップＳ１０２に移行する。
【００５５】
ステップＳ１０２において、電装品８は、検知した外気温度が第１外気温度判定用温度Ｔａ（例えば、１℃）以下であるか否か判断する。外気温度がＴａ以下の場合、処理はステップＳ１０４に移行する。一方、外気温度がＴａより大きい場合、処理はステップＳ１００を繰り返す。
【００５６】
ステップＳ１０２で外気温度がＴａ以下であると判断された場合、ステップＳ１０４において、電装品８は、制御スイッチをオンし、天板３の導電性塗料層２３に通電する。そして、処理はステップＳ１０６に移行する。
【００５７】
ステップＳ１０６において、電装品８は、外気サーミスタ１８の出力に基づいて外気温度を検知する。そして、処理はステップＳ１０８に移行する。
【００５８】
ステップＳ１０８において、電装品８は、検知した外気温度が第１外気温度判定用温度Ｔａより高い第２外気温度判定用温度Ｔｂ（例えば、２℃）以上であるか否か判断する。外気温度がＴｂ以上の場合、処理はステップＳ１１０に移行する。一方、外気温度がＴｂ未満の場合、処理はステップＳ１０６に移行する。
【００５９】
ステップＳ１０８で外気温度がＴｂ以上であると判断された場合、ステップＳ１１０において、電装品８は、制御スイッチをオフし、導電性塗料層２３への通電を停止する。そして、本発明の室外機の第１実施形態における導電性塗料層２３への通電動作が終了する。
【００６０】
[本実施形態の室外機の特徴]
以上、本発明の第１実施形態では、実際に氷結させたくない部分である天板３の表面に導電性塗料層２３を形成することにより、この導電性塗料層２３に通電し、導電性塗料層２３を発熱させることで、天板３の表面を面状に広く加熱することができる。したがって、天板３の表面を全面にわたって加熱できるので、天板３の氷結を効率的に防止できる。
【００６１】
さらに、外気サーミスタ１８が設けられているため、電装品８は外気温度の低下に応じて、天板３を発熱させることができる。このため、天板３の氷結を確実に防止できる。
【００６２】
さらに、天板３が氷結する寸前の温度帯（１℃〜２℃）での通電制御が可能であるため、室外機１の消費電力を抑制しつつ、天板３の氷結を防止できる。
【００６３】
さらに、導電性塗料層２３への通電による発熱量を、人体に影響がない温度までしか発熱しない発熱量に設定することにより、万が一、ユーザが天板３等に触れたとしても危険ではない。
【００６４】
さらに、外気温度が第１外気温度判定用温度Ｔａよりも高い第２外気温度判定用温度Ｔｂ以上になり、天板３が氷結する可能性がなくなった後も、電装品８が導電性塗料層２３への通電を継続することを防止できるので、室外機１で消費される電力を削減できる。
【００６５】
（第２実施形態）
以下、図面に基づいて、本発明の室外機の第２実施形態について説明する。第１の実施形態で説明した要素と同一の要素については、詳細な説明を省略する。図６は、本実施形態の室外機１０１から天板３、右側板４、前板５及び左側板６を取り外すと共に、筐体２の内部から送風ファン７（ファン）、電装品８（制御部）及び冷媒系統９を取り外した状態を示している。図７は、ドレンパン１３の上面を示している。図８は、図７に示したＢ−Ｂ線の断面を示している。
【００６６】
図６〜図８に示すように、この実施形態の室外機１０１では、電装品８の側端部８ａに設けられた端子が、電装ケーブル２９、３０を介して、ドレンパン１３の両端に形成された帯状金属箔等の電極３４、及び、このドレンパン１３の温度を検知するドレンパン用サーミスタ２８（筐体温度検知部）にそれぞれ接続される点、ドレンパン１３の表面には、上述した電極３４を内部に含む導電性塗料層３１（導電性塗料）が形成される点、導電性塗料層３１及び電極３４は、絶縁塗料層３２、３３（絶縁層）によって挟まれる点で、第１実施形態の室外機１と相違する。
【００６７】
また、図７に示すように、ドレンパン１３の左側表面（図中のハッチング領域）において、ドレンパン１３の上下両端に形成された電極３４を内部に含む導電性塗料層３１（導電性塗料）が塗布されており、塗布される範囲に形成されたドレン孔６０の周囲には、このドレン孔６０への導水を妨げるものは設けられていない。その他の構成は、第１実施形態の室外機１と同じである。
【００６８】
図９は、本発明の室外機の第２実施形態における導電性塗料層３１に対する通電動作のフローチャートを示している。図９に示す動作は、電装品８（制御部）が、内蔵ＲＯＭに格納されたプログラムを実行することによって実現され、外気サーミスタ１８（外気温度検知部）及びドレンパン用サーミスタ２８の出力に基づいて、制御スイッチのオン／オフ制御が行われる点で、第１実施形態（図５）と相違する。
【００６９】
まず、ステップＳ２００において、電装品８は、外気サーミスタ１８の出力に基づいて外気温度を検知する。そして、処理はステップＳ２０２に移行する。
【００７０】
ステップＳ２０２において、電装品８は、検知した外気温度が第１外気温度判定用温度Ｔａ（例えば、−１０℃）以下であるか否か判断する。外気温度がＴａ以下の場合、処理はステップＳ２０４に移行する。一方、外気温度がＴａより高い場合、処理はステップＳ２００を繰り返す。
【００７１】
ステップＳ２０４において、電装品８は、ドレンパン用サーミスタ２８の出力に基づいてドレンパン１３のドレンパン温度を検知する。そして、処理はステップＳ２０６に移行する。
【００７２】
ステップＳ２０６において、電装品８は、検知したドレンパン温度が第１筐体温度判定用温度Ｔｃ（例えば、１℃）以下であるか否か判断する。ドレンパン温度がＴｃ以下の場合、処理はステップＳ２０８に移行する。一方、ドレンパン温度がＴｃより高い場合、処理はステップＳ２０４に移行する。
【００７３】
ステップＳ２０６でドレンパン温度がＴｃ以下であると判断された場合、ステップＳ２０８において、電装品８は、制御スイッチをオンし、電極３４を介してドレンパン１３の導電性塗料層３１に通電する。そして、処理はステップＳ２１０に移行する。
【００７４】
ステップＳ２１０において、電装品８は、ドレンパン用サーミスタ２８の出力に基づいてドレンパン１３のドレンパン温度を検知する。そして、処理はステップＳ２１２に移行する。
【００７５】
ステップＳ２１２において、電装品８は、ドレンパンの温度が第１筐体温度判定用温度Ｔｃより高い第２筐体温度判定用温度Ｔｄ（例えば、２℃）以上であるか否か判断する。ドレンパン温度がＴｄ以上であると判断された場合、処理はステップＳ２１４に移行する。一方、ドレンパン温度がＴｄ未満であると判断された場合、処理はステップＳ２１０に移行する。
【００７６】
ステップＳ２１２でドレンパン温度がＴｄ以上であると判断された場合、ステップＳ２１４において、電装品８は、制御スイッチをオフし、導電性塗料層３１への通電を停止する。そして、本発明の室外機の第２実施形態における導電性塗料層３１に対する通電動作が終了する。
【００７７】
[本実施形態の室外機の特徴]
以上、本発明の第２実施形態では、第１実施形態と同様の効果を得ることができる。
【００７８】
さらに、空気熱交換器１０からのドレンの滴下によって特にドレン水が溜まり易い部分であるドレンパン１３の表面に、導電性塗料層３１を形成することにより、この導電性塗料層３１を発熱させることで、ドレンパン１３の表面を面状に広く加熱することができる。したがって、ドレンパン１３の氷結を効率的に防止できる。
【００７９】
さらに、ドレンパン１３において導電性塗料層３１（導電性塗料）を塗布した範囲に形成されたドレン孔６０の周囲には、このドレン孔６０への導水を妨げるものが設けられていないので、ドレン水をドレン孔６０から確実に排水することができる。
【００８０】
さらに、ドレンパンの温度が第１筐体温度判定用温度Ｔｃより高い第２筐体温度判定用温度Ｔｄ以上になり、ドレンパン１３が氷結する可能性がなくなった後も、電装品８が導電性塗料層３１への通電を継続することを防止できるので、室外機１０１で消費される電力を削減できる。
【００８１】
（第３実施形態）
以下、図面に基づいて、本発明の室外機の第３実施形態について説明する。第１の実施形態で説明した要素と同一の要素については、詳細な説明を省略する。図１０は、本実施形態の室外機２０１から天板３、右側板４、前板５及び左側板６を取り外すと共に、筐体２の内部から送風ファン７（ファン）、電装品８（制御部）及び冷媒系統９を取り外した状態を示している。図１１は、図１０に示したＣ−Ｃ線の断面を示している。
【００８２】
図１０に示すように、この実施形態の室外機２０１では、電装品８の側端部８ａに設けられた各端子が、電装ケーブル２９、３０を介して、ドレンパン１３の両端に形成された帯状金属箔等の電極３４、及び、ドレンパン１３の温度を検知するドレンパン用サーミスタ２８（筐体温度検知部）にそれぞれ接続される点、電装品８の側端部８ａに設けられた各端子が、電装ケーブル４０を介して、圧縮機１２の温度を検知する圧縮機用サーミスタ４１（圧縮機温度検知部）に接続される点で、第１実施形態の室外機１と相違する。
【００８３】
なお、この圧縮機用サーミスタ４１は、アキュムレータ１２ｂの上部に配置されている。このように、圧縮機用サーミスタ４１を、圧縮機本体１２ａの運転状況の変動による影響を受けにくいアキュムレータ１２ｂの上部に配置することにより、圧縮機１２の温度を高精度に検知可能である。
【００８４】
さらに、この実施形態の室外機２０１では、図１１に示すように、導電性塗料層３１及び電極３４が、絶縁塗料層３２、３３（絶縁層）によって挟まれる点、絶縁層３２、導電性塗料層３１、絶縁層３３及びドレンパン１３が、耐候性を有する絶縁塗料層５０、５１によって挟まれる点で、第１実施形態の室外機１と相違する。その他の構成は、第１実施形態の室外機１と同じである。
【００８５】
図１２は、それぞれ、本発明の室外機の第３実施形態における導電性塗料層３１に対する通電動作のフローチャートを示している。図１２に示す各動作は、電装品８（制御部）が、内蔵ＲＯＭに格納されたプログラムを実行することによって実現される。
【００８６】
図１２に示す動作は、外気サーミスタ１８（外気温度検知部）、ドレンパン用サーミスタ２８（筐体温度検知部）及び圧縮機用サーミスタ４１（圧縮機温度検知部）の出力に基づいて制御スイッチのオン／オフ制御が行われる点で、第１実施形態（図５）と相違する。なお、この実施形態では、以下に示す第１外気温度判定用温度Ｔａ、第１筐体温度判定用温度Ｔｃ及び第１圧縮機温度判定用温度Ｔｅは、いずれも相互に異なる温度に設定されている。また、以下に示す第２外気温度判定用温度Ｔｂ、第２筐体温度判定用温度Ｔｄ及び第２圧縮機温度判定用温度Ｔｆについても、相互に異なる温度に設定されている。
【００８７】
まず、ステップＳ３００において、電装品８は、外気サーミスタ１８の出力に基づいて外気温度を検知する。そして、処理はステップＳ３０２に移行する。
【００８８】
ステップＳ３０２において、電装品８は、検知した外気温度が第１外気温度判定用温度Ｔａ以下であるか否か判断する。外気温度が第１外気温度判定用温度Ｔａ以下の場合、処理はステップＳ３１２に移行する。一方、外気温度が第１外気温度判定用温度Ｔａより高い場合、処理はステップＳ３０４に移行する。
【００８９】
ステップＳ３０４において、電装品８は、ドレンパン用サーミスタ２８の出力に基づいてドレンパン１３のドレンパン温度を検知する。そして、処理はステップＳ３０６に移行する。
【００９０】
ステップＳ３０６において、電装品８は、検知したドレンパン温度が第１筐体温度判定用温度Ｔｃ以下であるか否か判断する。ドレンパン温度が第１筐体温度判定用温度Ｔｃ以下の場合、処理はステップＳ３１２に移行する。一方、ドレンパン温度が第１筐体温度判定用温度Ｔｃより高い場合、処理はステップＳ３０８に移行する。
【００９１】
ステップＳ３０８において、電装品８は、圧縮機用サーミスタ４１の出力に基づいて圧縮機１２の圧縮機温度を検知する。そして、処理はステップＳ３１０に移行する。
【００９２】
ステップＳ３１０において、電装品８は、検知した圧縮機温度が第１圧縮機温度判定用温度Ｔｅ以下であるか否か判断する。圧縮機温度が第１圧縮機温度判定用温度Ｔｅ以下の場合、処理はステップＳ３１２に移行する。一方、圧縮機温度が第１圧縮機温度判定用温度Ｔｅより高い場合、処理は、再びステップＳ３００を繰り返す。
【００９３】
ステップＳ３０２で外気温度が第１外気温度判定用温度Ｔａ以下であると判定された場合、ステップＳ３０６でドレンパン温度が第１筐体温度判定用温度Ｔｃ以下であると判定された場合、または、ステップＳ３１０で圧縮機温度が第１圧縮機温度判定用温度Ｔｅ以下であると判定された場合、ステップＳ３１２において、電装品８は、制御スイッチをオンし、電極３４を介してドレンパン１３の導電性塗料層３１への通電を開始する。
【００９４】
ステップＳ３１４において、電装品８は、外気サーミスタ１８の出力に基づいて外気温度を検知し、ドレンパン用サーミスタ２８の出力に基づいてドレンパン１３のドレンパン温度を検知し、圧縮機用サーミスタ４１の出力に基づいて圧縮機１２の圧縮機温度を検知する。
【００９５】
ステップＳ３１６において、電装品８は、検知した外気温度が第１外気温度判定用温度Ｔａより高い第２外気温度判定用温度Ｔｂ以上であり、且つ、検知したドレンパン温度が第１筐体温度判定用温度Ｔｃより高い第２筐体温度判定用温度Ｔｄ以上であり、且つ、検知した圧縮機温度が第１圧縮機温度判定用温度Ｔｅより高い第２圧縮機温度判定用温度Ｔｆ以上であるか否か判定する。外気温度が第２外気温度判定用温度Ｔｂ以上であり、且つ、ドレンパン温度が第２筐体温度判定用温度Ｔｄ以上であり、且つ、圧縮機温度が第２圧縮機温度判定用温度Ｔｆ以上である場合、処理はステップＳ３１８に移行する。それ以外の場合、処理は再びステップＳ３１４を繰り返す。
【００９６】
ステップＳ３１６で、外気温度が第２外気温度判定用温度Ｔｂ以上であり、且つ、ドレンパン温度が第２筐体温度判定用温度Ｔｄ以上であり、且つ、圧縮機温度が第２圧縮機温度判定用温度Ｔｆ以上であると判定された場合、ステップＳ３１８において、電装品８は、制御スイッチをオフし、導電性塗料層３１への通電を停止する。
【００９７】
そして、本発明の室外機の第３実施形態における導電性塗料層３１に対する通電動作が終了する。
【００９８】
[本実施形態の室外機の特徴]
以上、本発明の第３実施形態では、第１実施形態と同様の効果を得ることができる。
【００９９】
さらに、電装品８は、外気温度や、ドレンパン１３及び圧縮機１２の各温度に応じて、ドレンパン１３を発熱させることができるので、ドレンパン１３の氷結を精度良く防止できる。
【０１００】
（第４実施形態）
以下、図面に基づいて、本発明の室外機の第４実施形態について説明する。この実施形態の室外機は、導電性塗料層３１に対する通電動作が、外気サーミスタ１８（外気温度検知部）の出力に基づいて優先的な温度判定を行った後に実行される点で、図１２に示した通電動作と相違する。その他の構成は、第３実施形態の室外機２０１と同じである。
【０１０１】
図１３は、本発明の室外機の第４実施形態における導電性塗料層３１に対する通電動作のフローチャートを示している。図１３に示す各動作は、電装品８（制御部）が、内蔵ＲＯＭに格納されたプログラムを実行することによって実現される。なお、この実施形態では、第１筐体温度判定用温度Ｔｃ及び第１圧縮機温度判定用温度Ｔｅは、いずれも相互に異なる温度に設定されている。また、第２筐体温度判定用温度Ｔｄ及び第２圧縮機温度判定用温度Ｔｆについても、相互に異なる温度に設定されている。
【０１０２】
まず、ステップＳ４００において、電装品８は、外気サーミスタ１８の出力に基づいて外気温度を検知する。そして、処理はステップＳ４０２に移行する。
【０１０３】
ステップＳ４０２において、電装品８は、検知した外気温度が第１外気温度判定用温度Ｔａ以下であるか否か判断する。外気温度が第１外気温度判定用温度Ｔａ以下の場合、処理はステップＳ４０４に移行する。一方、外気温度が第１外気温度判定用温度Ｔａより高い場合、処理は再びステップＳ４００を繰り返す。
【０１０４】
ステップＳ４０４において、電装品８は、ドレンパン用サーミスタ２８の出力に基づいてドレンパン１３のドレンパン温度を検知する。そして、処理はステップＳ４０６に移行する。
【０１０５】
ステップＳ４０６において、電装品８は、検知したドレンパン温度が第１筐体温度判定用温度Ｔｃ以下であるか否か判断する。ドレンパン温度が第１筐体温度判定用温度Ｔｃ以下の場合、処理はステップＳ４１２に移行する。一方、ドレンパン温度が第１筐体温度判定用温度Ｔｃより高い場合、処理はステップＳ４０８に移行する。
【０１０６】
ステップＳ４０８において、電装品８は、圧縮機用サーミスタ４１の出力に基づいて圧縮機１２の圧縮機温度を検知する。そして、処理はステップＳ４１０に移行する。
【０１０７】
ステップＳ４１０において、電装品８は、検知した圧縮機温度が第１圧縮機温度判定用温度Ｔｅ以下であるか否か判断する。圧縮機温度が第１圧縮機温度判定用温度Ｔｅ以下の場合、処理はステップＳ４１２に移行する。一方、圧縮機温度が第１圧縮機温度判定用温度Ｔｅより高い場合、処理は、再びステップＳ４００を繰り返す。
【０１０８】
ステップＳ４０６でドレンパン温度が第１筐体温度判定用温度Ｔｃ以下であると判定された場合、または、ステップＳ４１０で圧縮機温度が第１圧縮機温度判定用温度Ｔｅ以下であると判定された場合、ステップＳ４１２において、電装品８は、制御スイッチをオンし、電極３４を介してドレンパン１３の導電性塗料層３１への通電を開始する。
【０１０９】
ステップＳ４１４において、電装品８は、外気サーミスタ１８の出力に基づいて外気温度を検知し、ドレンパン用サーミスタ２８の出力に基づいてドレンパン１３のドレンパン温度を検知し、圧縮機用サーミスタ４１の出力に基づいて圧縮機１２の圧縮機温度を検知する。
【０１１０】
ステップＳ４１６において、電装品８は、検知した外気温度が第１外気温度判定用温度Ｔａより高い第２外気温度判定用温度Ｔｂ以上であるか否か、または、検知した外気温度が第１外気温度判定用温度Ｔａより高い第２外気温度判定用温度Ｔｂ以下であり、且つ、検知したドレンパン温度が第１筐体温度判定用温度Ｔｃより高い第２筐体温度判定用温度Ｔｄ以上であり、且つ、検知した圧縮機温度が第１圧縮機温度判定用温度Ｔｅより高い第２圧縮機温度判定用温度Ｔｆ以上であるか否か判定する。外気温度が第２外気温度判定用温度Ｔｂ以上である場合、または、外気温度が第２外気温度判定用温度Ｔｂ以下であり、且つ、ドレンパン温度が第２筐体温度判定用温度Ｔｄ以上であり、且つ、圧縮機温度が第２圧縮機温度判定用温度Ｔｆ以上である場合、処理はステップＳ４１８に移行する。それ以外の場合、処理は再びステップＳ４１４を繰り返す。
【０１１１】
ステップＳ４１６で、外気温度が第２外気温度判定用温度Ｔｂ以上であると判定された場合、または、外気温度が第２外気温度判定用温度Ｔｂ以下であり、且つ、ドレンパン温度が第２筐体温度判定用温度Ｔｄ以上であり、且つ、圧縮機温度が第２圧縮機温度判定用温度Ｔｆ以上であると判定された場合、ステップＳ４１８において、電装品８は、制御スイッチをオフし、導電性塗料層３１への通電を停止する。
【０１１２】
そして、本発明の室外機の第４実施形態における導電性塗料層３１に対する通電動作が終了する。
【０１１３】
[本実施形態の室外機の特徴]
以上、本発明の第４実施形態では、第１実施形態と同様の効果を得ることができる。
【０１１４】
さらに、外気温度と第１外気温度判定用温度Ｔａとの比較に基づく温度判定を優先的に行った後で、ドレンパン１３や圧縮機１２の温度に応じて、ドレンパン１３を発熱させることができるので、ドレンパン１３の氷結をより精度良く防止できる。
【０１１５】
以上、本発明の実施形態について図面に基づいて説明したが、具体的な構成は、これらの実施形態に限定されるものでないと考えられるべきである。本発明の範囲は、実施形態の説明だけではなく特許請求の範囲によって示され、さらに特許請求の範囲と均等の意味及び範囲内でのすべての変更が含まれる。
【０１１６】
なお、上述した第１〜第４実施形態では、室外機１を空気調和ユニットに適用する例について述べたが、本発明はかかる実施形態に限定されるものではない。例えば、ドレンパン１３上に水熱交換器を設置し、本発明の室外機１を、家屋の床面に配置された床温調パネルに温水を供給する温調水ユニットに適用してもよい。
【０１１７】
なお、上述した第１〜第４実施形態では、天板３やドレンパン１３に、導電性塗料層２３、３１を形成し、電装品８が、これら導電性塗料層２３、３１に通電する例について述べたが、本発明はかかる実施形態に限定されるものではない。例えば、送風ファン７や仕切り板１４にそれぞれ導電性塗料層や電極を形成し、電装品８が、これらの導電性塗料層に通電し、送風ファン７や仕切り板１４の氷結を防止してもよい。
【０１１８】
なお、上述した第２実施形態では、図９に示した通電動作において、ステップＳ２００、Ｓ２０２の各工程の実行後に、ステップＳ２０４〜Ｓ２１４の各工程を実行する例について述べたが、本発明はかかる実施形態に限定されるものではない。これらの工程（ステップＳ２００、Ｓ２０２）を実行することなく、ステップＳ２０４〜Ｓ２１４の各工程を実行するものであってもよい。つまり、電装品８は、ドレンパン温度が第１筐体温度判定用温度Ｔｃ以下である場合に、電極３４に電流を流し、ドレンパン温度が第１筐体温度判定用温度Ｔｃより高い第２筐体温度判定用温度Ｔｄ以上となった場合に、電極３４に電流を流すことを停止するものでもよい。また、これと同様に、電装品８は、圧縮機の温度が第１圧縮機温度判定用温度Ｔｅ以下である場合に、電極３４に電流を流し、圧縮機の温度が第１圧縮機温度判定用温度Ｔｅより高い第２圧縮機温度判定用温度Ｔｆ以上となった場合に、電極３４に電流を流すことを停止するものでもよい。
【０１１９】
なお、上述した第３及び第４実施形態では、圧縮機用サーミスタ４１を、圧縮機本体１２ａの運転状況の変動による影響を受けにくいアキュムレータ１２ｂの上部に配置する例について述べたが、本発明はかかる実施形態に限定されるものではない。圧縮機用サーミスタ４１を、アキュムレータ１２ｂの上部以外の部分に配置してもよく、それ以外にも、圧縮機本体１２ａ（例えば、本体の上部）に配置可能である。
【０１２０】
なお、上述した第３実施形態では、図１２に示した通電動作において、第１外気温度判定用温度Ｔａ、第１筐体温度判定用温度Ｔｃ及び第１圧縮機温度判定用温度Ｔｅを、相互に異なる温度に設定する例について述べたが、本発明はかかる実施形態に限定されるものではない。第１外気温度判定用温度Ｔａ、第１筐体温度判定温度Ｔｃ及び第１圧縮機温度判定用温度Ｔｅを、相互に等しい温度に設定してもよい。これと同様に、第２外気温度判定用温度Ｔｂ、第２筐体温度判定用温度Ｔｄ及び第２圧縮機温度判定用温度Ｔｆについても、相互に等しい温度に設定可能である。
【０１２１】
なお、上述した第３実施形態では、図１２に示した通電動作において、ステップＳ３００〜Ｓ３１０に示すように、外気温度に基づく温度判定、ドレンパン温度に基づく温度判定、圧縮機温度に基づく温度判定を、この順番で実行する例について述べたが、本発明はかかる実施形態に限定されるものではない。例えば、各温度判定を実行する順番は、任意の順番に設定可能である。
【０１２２】
なお、上述した第４実施形態では、図１３に示した通電動作において、第１筐体温度判定用温度Ｔｃ及び第１圧縮機温度判定用温度Ｔｅを、相互に異なる温度に設定する例について述べたが、本発明はかかる実施形態に限定されるものではない。第１筐体温度判定用温度Ｔｃ及び第１圧縮機温度判定用温度Ｔｅを、相互に等しい温度に設定してもよい。これと同様に、第２筐体温度判定用温度Ｔｄ及び第２圧縮機温度判定用温度Ｔｆについても、相互に等しい温度に設定可能である。
【０１２３】
なお、上述した第４実施形態では、図１３に示した通電動作において、ステップＳ４０６〜Ｓ４１０に示すように、ドレンパン温度に基づく温度判定、圧縮機温度に基づく温度判定を、この順番で実行する例について述べたが、本発明はかかる実施形態に限定されるものではない。例えば、圧縮機温度に基づく温度判定、ドレンパン温度に基づく温度判定が、この順番で実行されるものでもよい。
【符号の説明】
【０１２４】
１、１０１、２０１  室外機
２  筐体
３  天板
７  送風ファン（ファン）
８  電装品（制御部）
１０  空気熱交換器（熱交換器）
１２  圧縮機
１２ａ  圧縮機本体
１２ｂ  アキュムレータ
１３  ドレンパン
１４  仕切り板
１８  外気サーミスタ（外気温度検知部）
２３、３１  導電性塗料層（導電性塗料）
２４、２５、３２、３３  絶縁塗料層（絶縁層）
２６、３４  電極
２８  ドレンパン用サーミスタ（筐体温度検知部）
４１  圧縮機用サーミスタ（圧縮機温度検知部）
【図１】
2010032206.tif 000003
【図２】
2010032206.tif 000004
【図３】
2010032206.tif 000005
【図４】
2010032206.tif 000006
【図５】
2010032206.tif 000007
【図６】
2010032206.tif 000008
【図７】
2010032206.tif 000009
【図８】
2010032206.tif 000010
【図９】
2010032206.tif 000011
【図１０】
2010032206.tif 000012
【図１１】
2010032206.tif 000013
【図１２】
2010032206.tif 000014
【図１３】
2010032206.tif 000015